(57)【要約】      （修正有）【課題】共通の漏斗本体にサイズの異なる脚を連結具を用いて取替え可能に連結でき、漏斗一式をコンパクトに収納できる漏斗を提供する。【解決手段】一対の本体１と連結具２と、サイズの異なる複数の脚３からなり、本体は容器部１ａの下部に雄ネジ付き連結部１ｂが形成され、連結具は断面がほぼＵ字状の筒状でその内径側には雌ネジ部が形成され、脚は筒状でその一端にツバ３ａを有し、ツバを本体の連結部に連結具で連結するようにした漏斗である。収納時は本体、サイズの異なる複数の脚を連結具で本体内に収納し、一体に固定し、コンパクトに収納できる。【選択図】図１
0003231633.tif 000002
【実用新案登録請求の範囲】
【請求項１】
本体と脚を連結具で着脱可能に連結してなる漏斗であって、
前記本体は容器部と容器部下部に円筒状で外周に雄ネジ付き連結部が形成され、
前記連結具は断面が略Ｕ字状を成す筒状でその内径側に前記容器の雄ネジ部と係合するように雌ネジ部が形成され、Ｕ字状の底中心部には孔が形成され、
前記脚は筒状で前記連結具の底中心に形成された孔に挿入でき、
その一端の外周には前記連結具の筒状部の内径より小さい外径のツバを有し、
前記脚の筒部を前記連結具の孔に通して前記本体と連結具で連結したとき、
前記ツバは本体の連結部の下端縁部に当接し前記連結具の底部で圧接される、
ことを特徴とする漏斗。     
【請求項２】
前記脚は、前記一対の本体と連結具に対してサイズの異なる複数個から成り、
前記脚のツバ外径は同一で、 
前記複数の脚の筒部は、夫々の外径がそれより１つ太い外径の筒部の内径よりも細い筒部から成り、
複数個の脚はそれより太い筒部の脚にそれより細い筒部の脚を順次挿入して一体化できる、
ことを特徴とする請求項１に記載の漏斗。 
【請求項３】
前記脚はビニール又はゴムから成る、
ことを特長とする請求項1又は請求項２記載のいずれかの漏斗。
【考案の詳細な説明】
【技術分野】
【０００１】
本考案は一対の本体と連結具と、サイズの異なる複数の脚からなる漏斗に関するものである。
【背景技術】
【０００２】
従来の漏斗には種々のサイズのものがある。
【先行技術文献】
【特許文献】
【０００３】
【特許文献１】特開２０２０−０４５１４９
【特許文献１】特開２００２−１１４２９５
【考案の概要】
【考案が解決しようとする課題】
【０００４】
従来の漏斗は、本体と脚が一体で形成されていたり、一つの本体に対して、脚と連結具が一体になったサイズの異なる複数の連結部付き脚を組み合わせてなる漏斗が知られている。各種の口径の容器に対応できる漏斗を準備する場合、本体と脚が一体で形成されたものは受け側容器の口径に合わせた多数の漏斗が必要になり、収納時には大きなスペースを要し、箱等に収納しないとバラバラになり、太い漏斗から細い漏斗までシリーズでそろえた漏斗の一部を紛失する可能性がある。
また、本体とサイズの異なる複数の連結部付き脚を組み合わせてなる漏斗においても、収納時には本体と複数の連結部付き脚を箱等に収納しないとバラバラになり、シリーズでそろえた連結部付き脚の一部を紛失する可能性がある。
本願考案の主たる目的は、一対の本体と連結具、それにサイズの異なる複数の脚を取替え可能に連結でき、収納おいて、本体と、連結具と、複数の脚と、を一体化してし、しかもコンパクトに収納できる漏斗を提供することである。
【課題を解決するための手段】
【０００５】
本考案にかかる漏斗は、
本体と脚を連結具で着脱可能に連結してなる漏斗であって、
前記本体は容器部と容器部下部に円筒状で外周に雄ネジ付き連結部が形成され、
前記連結具は断面が略Ｕ字状を成す筒状でその内径側に前記容器の雄ネジ部と係合するように雌ネジ部が形成され、Ｕ字状の底中心部には孔が形成され、
前記脚は筒状で前記連結具の底中心に形成された孔に挿入でき、
その一端の外周には前記連結具の筒状部の内径より小さい外径のツバを有し、
前記脚の筒部を前記連結具の孔に通して前記本体と連結具で連結したとき、
前記ツバは本体の連結部の下端縁部に当接し前記連結具の底部で圧接される、
ことを特徴とする漏斗である。 
【０００６】
また、本考案にかかる漏斗は、
前記脚は、前記一対の本体と連結具に対してサイズの異なる複数個から成り、
前記脚のツバ外径は同一で、 
前記複数の脚の筒部は、夫々の外径がそれより１つ太い外径の筒部の内径よりも細い筒部から成り、
複数個の脚はそれより太い筒部の脚にそれより細い筒部の脚を順次挿入して一体化できる、
ことを特徴とする漏斗である。 
このため、本考案の漏斗では、受け側容器の口径に合わせて、一対の本体と連結具により、小口径や大口径の口径の異なる複数の脚を接続することができる。即ち 、本考案の漏斗によれば、脚のみを取り替えることにより、受け側容器の開口径や深さに適切な太さや長さの脚を選択して、本体に連結して用いることができる。  
【０００７】
また、サイズの異なる複数の脚は大口径の脚にそれより細い口径の脚を順次挿入し、
大口径の脚に収納して一体になった全脚を本体の連結部に筒部側より挿入し、
連結部に連結具を螺合することにより、
本体とサイズの異なる複数の脚と連結具は、略、本体の大きさの寸法で一体化されてコンパクトに収納でき、保管や運搬に便利であり、一部を紛失する可能性も少なく、取り扱いも便利になる。
【０００８】
また、本考案にかかる漏斗は、
前記脚はビニール又はゴムから成る、
ことを特徴とする漏斗である。 
本考案の脚に、またはツバ部に弾力性のある材料を適用することにより、本体の連結部とツバの接合部から注入する液体の漏れの心配が無くなる。
脚のツバを堅い材料で製作し、注入する液体の漏れが懸念され場合には、本体の連結部と脚のツバの間に弾力性のあるパッキンを挿入してもよい。
【考案の効果】
【０００９】
本願考案によれば、一対の本体と連結具にサイズの異なる複数の脚を取替え可能に連結できる漏斗を提供することができる。この漏斗によれば、脚のみを取り替えることにより、受け側容器の口径に合わせた適切な漏斗を選択することが可能となる。また、本体と複数の脚と連結具は、本体と同等の寸法に一体化してコンパクトに収納でき、保管や運搬に便利であり、一部を紛失する可能性も少なく、取り扱いも便利になる。また、サイズの異なる複数の脚はネジ無しの簡単な構造であるため、製造が容易で安価にできる。
【図面の簡単な説明】
【００１０】
【図１】本考案の漏斗の一実施例を示す本体、連結具、脚の組み合せ断面図である。
【図２】本考案のサイズの異なる複数の脚の断面図である。
【図３】本考案の漏斗一式を一体化した収納姿の断面図である。
【図４】本体の連結部と脚のツバとパッキンを連結具で連結した断面図である。
【考案を実施するための形態】
【００１１】
次に、本考案を実施するための形態について、図面を参照しながら詳細に説明する。ただし、以下に示す実施例は、本考案の技術的思想を具体化するための漏斗の一例を示すものであって、以下のものに特定するものではない。
【実施例】
【００１２】
図１は本考案にかかる漏斗１００の一実施例で、本体１と、脚３と、連結具２の組み合せ断面図であり、脚３を本体１に連結具２で組み合わせる方法を示している。
図２は前記脚３の筒部３ｂの寸法が異なる脚６，７，８の断面図であり、図３は漏斗１００一式を一体化した収納姿の断面図である。図４は連結部１ｂにパッキン１０とツバ３ａを連結具２で接合した接合部の断面図である。
【００１３】
図１に示す本体１は、合成樹脂、たとえばポリエチレンなどで形成される。本体１は略円錐状の容器部１ａの頂点部分に、略円筒状の連結部１ｂを備えており、内径は脚３の筒部３ｂの外径よりも大きく、外周壁には螺旋状に雄ネジを設けている。
連結部１ｂの端面は脚３のツバ３ａが当接されるので滑らかな平面を成すように仕上げてられている。
【００１４】
連結具２は断面が略Ｕ字状を成す筒状でその内周壁には連結部１ｂの雄ネジと着脱自在に螺合させる螺旋状の雌ネジが形成され、Ｕ字状の底２ａの中心部には円形の孔２ｂが形成され、底２ａの内側は脚３のツバ３ａが当接されるので滑らかな水平面を成すように仕上げてられている。円形の孔２ｂはセットにされる複数の脚の中で最も太い筒部３ｂが貫通でき、ツバ３ａを十分に押圧できる大きさとしている。連結具２の筒状部の外周面は滑らないように滑り止め加工が施されている。
【００１５】
前記脚３の筒部３ｂは前記連結具２の底２ａの中心部に形成された孔２ｂに挿入でき、
その一端の外周には前記連結具２の筒状部の内径より小さい外径のツバ３ａを有している。前記ツバ３ａの上面は本体下部の連結部１ｂの端面に当接し、シール面と成るので滑らかな平面を成すように仕上げてられている。前記ツバ３ａの下面は前記連結具２の底２ａで圧接されるので、滑らかな平面状を成すように仕上げてられている。
【００１６】
図1に示すように、本体１の連結部１ｂを下に向け、その下に脚３のツバ３ａを対向させ、脚３の筒部３ｂに連結具２の孔２ｂを通し、連結具２の雌ねじを本体１の連結部１ｂの雄ネジに螺合させて絞めつけると漏斗１００が組み上がる。
【００１７】
この漏斗１００は、たとえばサイズの異なる３本の脚６，７，８を備えている。
脚６，７，８は図２のＡ，Ｂ，Ｃに示すようにその一端の外周にツバ３ａを有し、
ツバ３ａは円形であり外径は連結具２の内径よりも僅かに小さく、厚さは薄く、例えば数ｍｍ程度で、外径は全て同一である。複数の脚６，７，８の筒部３ｂの外径Ｄ１，Ｄ２，Ｄ３と内径ｄ１、ｄ２、ｄ３の関係はＤ１＞Ｄ２＞Ｄ３で、ｄ１＞Ｄ２、ｄ２＞Ｄ３の関係にあり、脚７は脚６に、脚８は脚７の筒部３ｂに挿入できる。
各脚６，７，８の長さＬ１，Ｌ２，Ｌ３は特に規定する必要は無いが、収納時にコンパクトにするためには、本体１の高さＬと同等以下とするのが望ましい。
【００１８】
図３は複数の脚６，７，８を大口径の脚６にそれより細い口径の脚７を，脚７に脚８を順次挿入し、脚８，７を収納した脚６の筒部３ｂ側より本体１の連結部１ｂに挿入し、連結部１ｂに連結具２を螺合し、本体１の寸法でコンパクトに一体化した収納状態を示す断面図である。
本体１と、サイズの異なる複数の脚６，７，８と、連結具２はコンパクトに一体化されているため、保管したり、輸送したり、展示販売するときに漏斗一式がバラバラに成らずに取り扱える利点がある。
【００１９】
図４は本体１の連結部１ｂと脚３のツバ３ａの間にパッキン１０を挟み、連結具２で脚３を連結部１ｂに連結した断面図である。パッキン１０を弾力性のあるゴムで製作することにより、ゴムが連結部１ｂの端面やツバ３ａに密着し、パッキン１０との接合面から液体が漏れる心配をなくすことができる。 脚３を弾力性のあるゴムなどで製作した場合は、パッキンは不要である。
【００２０】
この漏斗は、上述のように一対の本体と連結具に対して、サイズの異なる複数の脚を取り替えられるようにしたものである。脚を取り替えることにより、液体、紛体、粒体などを注入されるべき容器の開口部の直径に適切な太さを本体に連結して用いることができる。上述の実施例では脚は３本の例を示したが、これに限るものではない。ツバを共通にするものであれば太さ、長さの異なる取替え脚は何本でもよい。
また、本体とサイズの異なる複数の脚は、連結具で本体サイズと同程度にコンパクトに一体化して収納できる。
【符号の説明】
【００２１】
１  本体
１ａ  容器部
１ｂ  連結部
２  連結具
２ａ  底
２ｂ  孔
３  脚        
３ａ  ツバ  
３ｂ  筒部
６  最も太い脚  
７  ２番目に太い脚
８  最も細い脚
１０  パッキン
１００  漏斗 
【図１】
0003231633.tif 000003
【図２】
0003231633.tif 000004
【図３】
0003231633.tif 000005
【図４】
0003231633.tif 000006